(57)【特許請求の範囲】
【請求項１】
器具開口を形成する開口部を有する器具本体と、
実装面に発光素子が実装される発光基板であって、前記実装面が前記器具開口から前記器具本体の外部を向くように前記開口部に配置される発光基板と、前記器具本体の内部に配置され、前記実装面の裏面と当接するとともに前記器具本体の内側面と当接する放熱部とを備える光源モジュールと
を備え、
前記放熱部は、
平板状の放熱本体部と、前記放熱本体部の周部から前記内側面に沿って形成され、前記内側面と当接する内側面当接部と、前記放熱本体部の中央に形成された凹部により構成され、前記実装面の裏面と当接する基板当接部とを備えた照明器具。
【請求項２】
前記基板当接部と前記内側面当接部との間に形成された傾斜部を備えた請求項１に記載の照明器具。
【請求項３】
前記光源モジュールは、
両端部が開口する筒状の筒部であって、前記実装面が一方の開口を向くように前記発光基板を内部に収納する筒部と、
前記筒部の前記一方の開口の周縁に設けられたつば部と
を備え、
前記放熱部は、
前記筒部の内部に収納された前記発光基板の前記実装面の裏面に当接するとともに、前記筒部の他方の開口を塞ぐように前記筒部に取り付けられ、
前記光源モジュールは、
前記つば部により、前記器具開口に挿入された前記筒部と前記開口部との隙間を塞ぐ請求項１または請求項２に記載の照明器具。
【請求項４】
前記筒部は、不燃材で形成された請求項３に記載の照明器具。
【請求項５】
前記器具本体と前記放熱部とは、不燃材で形成された請求項１から請求項４のいずれか１項に記載の照明器具。
【請求項６】
請求項１から請求項５のいずれか１項に記載の照明器具であって、内部に前記光源モジュールを点灯させる点灯装置が配置された照明器具と、
前記器具本体の内部に配設される電源部であって、交流電源により充電され、前記交流電源からの電力の供給が停止した場合には前記点灯装置に電力を供給する電源部と
を備えた非常用照明器具。
【請求項７】
器具開口を形成する開口部を有する器具本体と、
実装面に発光素子が実装される発光基板であって、前記実装面が前記器具開口から前記器具本体の外部を向くように前記開口部に配置される発光基板と、前記器具本体の内部に配置され、前記実装面の裏面と当接するとともに前記器具本体の内側面と当接する放熱部とを備える光源モジュールと
を備えた照明器具であって、
前記放熱部は、
金属板であり、前記実装面の裏面と当接する平板状の基板当接部と、前記基板当接部から連続して形成され、前記内側面と当接する内側面当接部とを備え、
前記照明器具は、さらに、
前記基板当接部と前記内側面当接部との間に形成された傾斜部を備えた照明器具。
【発明の詳細な説明】
【技術分野】
【０００１】
本発明は、照明器具及び非常用照明器具に関するものである。
【背景技術】
【０００２】
火災発生時等における停電の際に点灯する非常用照明器具では、火災などの非常時において所定の非常用照明器具の機能を発揮させなければならない。所定の非常用照明器具の機能の条件を満足させるために、非常用照明器具技術基準ＪＩＬ５５０１（日本照明器具工業会基準）または非常用照明器具に関する指針において、非常用照明器具の機能を成す部分を難燃材料で覆う、周囲温度が１４０℃の状態で３０分間１ルクスの照明が行える、などの規定が定められている。その為、非常用照明器具はこの規定を満たすように設計されている。
【０００３】
例えば、特許文献１に記載の非常用照明器具は、ＬＥＤ（発光ダイオード）を備えた光源部に複数の放熱フィンを備えた放熱部が当接する事により、ＬＥＤが発する熱を効率的に放熱し、所定時間照射させている。
【先行技術文献】
【特許文献】
【０００４】
【特許文献１】特開２０１４−３２８６８号公報
【発明の概要】
【発明が解決しようとする課題】
【０００５】
しかしながら、特許文献１に記載の非常用照明器具には、放熱部から器具外部への放熱に関しての記載がない。放熱部が器具内部に対して放熱している場合は、ＬＥＤの周囲温度が上昇すると考えられ、ＬＥＤの寿命が低減する虞があるという課題がある。
【０００６】
本発明は、上記のような課題を解決するためになされたものであり、光源部が器具本体部の内側面に当接する放熱部を備えている事により、ＬＥＤ基板の効率的な放熱をする事ができる非常用照明器具を提供する事を目的とする。
【課題を解決するための手段】
【０００７】
本発明に係る照明器具は、器具開口を形成する開口部を有する器具本体と、発光素子が実装面に実装される発光基板であって、前記実装面が前記器具開口から前記器具本体の外部を向くように前記開口部に配置される発光基板と、前記器具本体の内部に配置され、前記実装面の裏面と当接するとともに前記器具本体の内側面と当接する放熱部とを備える光源モジュールとを備えることを特徴とする。
【発明の効果】
【０００８】
本発明によれば、器具本体の内部に配置され、発光基板の実装面の裏面と当接するとともに器具本体の内側面と当接する放熱部を備えているので、発光基板から発する熱を効率的に器具本体の外部に放熱する事ができる。
【図面の簡単な説明】
【０００９】
【図１】実施の形態１に係る照明器具１の斜視図である。
【図２】実施の形態１に係る照明器具１の分解斜視図である。
【図３】実施の形態１に係る照明器具１の断面図である。
【図４】（ａ）が実施の形態１に係る照明器具１の枠部１２０の斜視図であり、（ｂ）が枠部１２０の変形例である枠部１２０ａの斜視図である。
【図５】実施の形態２に係る照明器具１ｂの断面図である。
【図６】実施の形態２に係る照明器具１ｂの光源部２００の断面図である。
【図７】実施の形態２に係る光源部２００が備える放熱蓋部２１０の斜視図である。
【図８】実施の形態２に係る放熱蓋部２１０の変形例である放熱蓋部２１０ｂの断面図である。
【図９】実施の形態３に係る光源部３００の断面図である。
【図１０】図９に示す光源部３００のＡ部拡大詳細図である。
【図１１】実施の形態３に係る配光制御部３１１の配置例を示す図である。
【図１２】光源部３００の目標とする配光特性の参考図（実線、点線、１点鎖線）及びミニハロゲンを用いた非常用照明器具の配光特性の参考図（２点鎖線）である。
【発明を実施するための形態】
【００１０】
以下、本発明の実施の形態について、図を用いて説明する。なお、以下に説明する実施の形態によって本発明が限定されるものではない。また、以下の図面では各構成部の大きさの関係が実際のものとは異なる場合がある。また、実施の形態の説明において、「上」、「下」、「左」、「右」、「前」、「後」、「表」、「裏」といった方向や位置が示されている場合、それらの表記は、説明の便宜上、そのように記載しているだけであって、装置、器具、部品等の配置や向き等を限定するものではない。
【００１１】
実施の形態１．
図１は、本実施の形態に係る照明器具１の斜視図である。図２は、本実施の形態に係る照明器具１の分解斜視図である。図３は、本実施の形態に係る照明器具１の断面図である。図４は、（ａ）が本実施の形態に係る照明器具１の枠部１２０の斜視図であり、（ｂ）が枠部１２０の変形例である枠部１２０ａの斜視図である。
【００１２】
本実施の形態に係る照明器具１は、例えば非常灯などの非常用照明器具であって、例えば天井、壁などの被取付部に埋め込み固定されるものである。
【００１３】
照明器具１は、一面に開口が形成された有底筒形状をした器具本体部１０（器具本体）と、この開口（以下、器具開口とする）を塞ぐように取り付けられる光源部１００（光源モジュール、または単に光源とも呼ぶ）と、光源部１００を点灯させる点灯装置部１１（点灯装置）と、非常時の電源となる非常用電源部１２（電源部）と、非常用電源部１２の充電状態を確認するための点検スイッチ部１３と、点検モニタ部とを備えている。
【００１４】
器具本体部１０は、下面に器具開口を形成する開口部１４を有した有底円筒形状に形成されており、金属などの不燃材料により形成されている。器具本体部１０において、外側の側面を外側面１０１、内側の側面を内側面１０２とする。
また、器具本体部１０は開口部１４周部に器具鍔部１５が形成されている。器具本体部１０は、外側面１０１の器具鍔部１５側に照明器具１を天井などの被取付部に固定するための取付部１６（取付手段）を備えている。
また、器具本体部１０の内側（内部）には、一対の保持部１７が配設される。保持部１７は、断面がＬ形状であり、Ｌ形状と内側面１０２とにより形成された空間領域に点灯装置部１１などを保持する。また、一対の保持部１７同士の間の空間領域には、非常用電源部１２が配設される。
また、器具本体部１０の内側面１０２には、内側面１０２において対向する位置に、光源固定爪部１８（光源取付部）が配設される。光源固定爪部１８は、光源部１００の固定バネ部１４０（図２及び図４（ａ）参照）（固定部）と係合することにより、光源部１００を器具本体部１０に着脱自在に固定する。光源固定爪部１８は、対になるＬ形状をした爪部１８ａ，１８ｂから構成されている。光源固定爪部１８は、固定バネ部１４０と係合することにより、光源部１００を器具本体部１０に着脱自在に取り付ける。
【００１５】
点灯装置部１１は、通常時には外部に設けられた商用電源（交流電源）からの電力を変換し光源部１００に供給するとともに、非常用電源部１２に充電のための電力を供給する。
また、火災、停電などにより商用電源からの電力の供給が停止した非常時には、点灯装置部１１は、非常用電源部１２から電力供給を受けるように切り替え、光源部１００を所定時間点灯させる。
【００１６】
非常用電源部１２は、通常時は点灯装置部１１を介して商用電源から電力が供給され充電する。充電された電力は、非常時に点灯装置部１１を介し光源部１００へ提供される。
なお、非常用電源部１２の充電状態は、点検スイッチ部１３により確認をする事ができる。
【００１７】
点検スイッチ部１３は、擬似的に商用電源の停電状態を作り出すものであり、光源部１００の下面側に配設されている。
【００１８】
取付部１６は、ステンレス鋼線等のバネ材を折り曲げ形成したものであり、器具本体部１０の外側面１０１に対になるように配置される。取付部１６は、照明器具１を被取付部に固定するものである。
【００１９】
光源部１００は、ＬＥＤ１１１（または発光素子）を光源として備えた光源ユニット部１１０と、光源ユニット部１１０が挿入される枠部１２０と、枠部１２０と接合する防火蓋部１３０（または蓋部）と、枠部１２０に配設され光源部１００を器具本体部１０に固定するための固定バネ部１４０（図４（ａ）参照）（または固定部、固定手段）を備えている。
【００２０】
光源ユニット部１１０は、複数のＬＥＤ１１１と、複数のＬＥＤ１１１が実装された基板１１２とからなるＬＥＤ基板１１３（または発光基板）と、ＬＥＤ基板１１３の前面側に配設されＬＥＤ１１１からの光を所定の角度へ放射するレンズ部１１４と、レンズ部１１４の前面に配設されるカバー部１１５とから構成されている。
【００２１】
ＬＥＤ基板１１３は、略円形状をした基板１１２の実装面１１２１に複数のＬＥＤ１１１が実装されたものである。複数のＬＥＤ１１１は、基板１１２に略円形に略均等に配置される。
【００２２】
レンズ部１１４は、ＬＥＤ基板１１３とカバー部１１５との間に配置され、ＬＥＤ１１１から発せられる光を配光する。レンズ部１１４は、透明な樹脂材料などから成形されたものであり、基板１１２の外径と略同一な円柱形状であるとともに、ＬＥＤ１１１の前面に略半円形状の凹部が形成されており、ＬＥＤ１１１からの光を所定の角度で配光制御する。
図３に示すように、レンズ部１１４の後面側は基板１１２と略同一形状であり、レンズ部１１４の前面側は後述するカバー部１１５と略同一形状である。
【００２３】
カバー部１１５は、ガラスなどからなる不燃材の光透過部材であり、レンズ部１１４の外径と略同一の円板形状である。
【００２４】
枠部１２０は、鉄、アルミなどの不燃材料から形成されており、光源ユニット部１１０が挿入される枠筒部１２１（筒部）を備える。枠筒部１２１は、両端部が開口する筒状である。
また、枠部１２０は、枠筒部１２１の前面側（一方）の開口の周縁から外側に延設された輪形状（環状、リング状）の鍔部である枠前面部１２２（つば部）と、枠筒部１２１の後面側（他方）の開口の周縁から外側に延設された輪形状（環状、リング状）の鍔部である枠鍔部１２３とを備えている。
枠鍔部１２３は、枠筒部１２１の枠前面部１２２が設けられた開口と反対の開口に設けられ、防火蓋部１３０を固定する。
枠前面部１２２（つば部）は、光源部１００が器具本体部１０に取り付けられた際に、枠筒部１２１と器具本体部１０の開口部１４の周縁との隙間を塞ぐ。
【００２５】
枠筒部１２１は、前面側の枠筒部前部１２１１と、枠筒部前部１２１１よりも外径が大きい後面側の枠筒部後部１２１２と、枠筒部前部１２１１と枠筒部後部１２１２との境界の段差部１２１３とを備える。
また枠筒部１２１の側面（レンズ部１１４の側方あたり）に、点灯装置部１１からの電線を通す挿通孔（図示なし）が形成されている。
【００２６】
また、枠前面部１２２の内側円の径寸法は、枠筒部前部１２１１内側の径寸法より小さく形成される。例えば、枠部１２０は、枠前面部１２２に、枠前面部１２２の内側円の周縁部から内側円中央部に向かって突き出した輪形状（環状、リング状）の内側鍔部１２２１を備えていても良い。この枠前面部１２２の内側鍔部１２２１に、枠筒部１２１の後面側の開口から挿入されたカバー部１１５が係止されることにより、枠筒部１２１に挿入された光源ユニット部１１０が係止される。
【００２７】
また、図４（ａ）に示すように、枠部１２０の外側面１０１には、枠筒部１２１を挟んで対向するように固定バネ部１４０が配置されている。固定バネ部１４０は中央にコイル部１４１が形成され、コイル部１４１よりＶ形状になるようにバネ腕部１４２が形成されている。
【００２８】
防火蓋部１３０は、鉄、アルミなどの不燃材料から形成されており、枠筒部１２１の枠鍔部１２３が形成されている側（後面側）の開口を塞ぐものである。
また、防火蓋部１３０には、枠筒部１２１に嵌め入れられるととともに、ＬＥＤ基板１１３のＬＥＤ１１１が実装された実装面１１２１の反対面（以下、裏面１１２２、接着面とも呼ぶ）と密着する略円形の基板取付凹部１３１が形成される。略円形の基板取付凹部１３１の周囲には、蓋鍔部１３２が形成される。なお、防火蓋部１３０は、枠筒部１２１と一体としてもよい。
【００２９】
枠筒部１２１に挿入された光源ユニット部１１０は、枠前面部１２２（例えば、内側鍔部１２２１）と、防火蓋部１３０により保持される。
【００３０】
ここで、光源ユニット部１１０と枠部１２０と防火蓋部１３０とを用いて、光源部１００を組み立てる手順の一例について説明する。
まず、枠部１２０の後面側の開口からカバー部１１５、レンズ部１１４、ＬＥＤ基板１１３を挿入する。カバー部１１５は、枠前面部１２２の内側鍔部１２２１に係止される。カバー部１１５は、前面側の開口から露出する部分に影響しないように、枠筒部前部１２１１の内周面と内側鍔部の内側とに接着剤などで固定されても良い。あるいは、枠筒部前部１２１１の内周面の内側鍔部１２２１の近傍に環状の溝部を設け、カバー部１１５の周縁部と係合させることで、カバー部１１５を固定しても良い。カバー部１１５は直接枠部１２０に固定されなくても良く、枠前面部１２２とレンズ部１１４とにより固定されるものでも良い。
【００３１】
ＬＥＤ基板１１３は、実装面１１２１が枠筒部１２１の前面側の開口を向くように枠筒部１２１の内部に収納される。光源部１００が器具本体部１０に取り付けられると、ＬＥＤ基板１１３は、実装面１１２１が開口部１４（器具開口）から器具本体部１０の外部を向くように、開口部１４近傍に配置されることになる。なお、ＬＥＤ基板１１３とレンズ部１１４とはネジ止めなどにより固定しても良い。
【００３２】
次に、ＬＥＤ基板１１３の裏面と防火蓋部１３０の基板取付凹部１３１とが接する（当接する）ように、防火蓋部１３０の基板取付凹部１３１を枠筒部１２１（枠筒部後部１２１２）に嵌め入れる。そして、枠部１２０の枠鍔部１２３と、防火蓋部１３０の蓋鍔部１３２とを当接させ、枠鍔部１２３と蓋鍔部１３２とを合わせて、ネジ１６０によりネジ止めする。
【００３３】
なお、光源ユニット部１１０において、ＬＥＤ基板１１３と防火蓋部１３０とを伝導性の良いテープなどを用いて貼り付けることにより、ＬＥＤ基板１１３と防火蓋部１３０との密着性を高め、放熱性能を向上させても良い。
また、防火蓋部１３０はＬＥＤ基板１１３との密着性を高めるため、基板取付凹部１３１の円中央付近をＬＥＤ基板１１３側に窪ませるような形状でも良い。
また、防火蓋部１３０と枠部１２０とを一体に形成し、ＬＥＤ基板１１３からの熱を枠前面部１２２より外部へ放熱するような形状でも良い。
【００３４】
光源部１００は、枠部１２０に設けられたバネ腕部１４２のＶ形状を閉じるように押圧した状態で、器具本体部１０の光源固定爪部１８に係り合いさせ、光源部１００を器具本体部１０内側に押し込むことで、固定バネ部１４０と光源固定爪部１８が弾合して器具本体部１０に固定される。
なお、非常用電源部１２の交換などのために、光源部１００を器具本体部１０から取り外す際は、光源部１００を下方向に引き下げる事で、バネ腕部１４２が光源固定爪部１８を摺動し、取り外し可能になる。
【００３５】
図４（ｂ）は、図４（ａ）で説明した固定バネ部１４０とは異なる固定バネ部１４０ａを備えた枠部１２０ａの斜視図である。
図４（ａ）では、固定バネ部１４０により光源部１００を器具本体部１０に着脱可能に固定する機構を説明したが、固定バネ部１４０は図４（ｂ）に示すような板バネ形状の固定バネ部１４０ａでも良い。板バネ形状の固定バネ部１４０ａを用いる場合には、光源固定爪部１８は設ける必要がない。
あるいは、器具本体部１０と光源部１００とに、互いに嵌め合いする嵌合手段を配設するような機構などであっても良く、ネジなどを介して固定されるものでも良い。
【００３６】
本実施の形態では、光源となるＬＥＤ基板１１３を、枠部１２０と、カバー部１１５と、防火蓋部１３０とで覆うことにより、火災発生時に光源部１００の延焼などの火災被害を抑制し、非常用照明器具（装置）としての機能を果たす事ができる。
【００３７】
また、光源部１００がモジュール化され、固定バネ部１４０により器具本体部１０に着脱可能に固定されていることにより、非常用電源部１２などの交換、補修を容易に行うことができる。
また、器具本体部１０を天井などの被取付部に直付けする際も、光源部１００が容易に着脱できることにより、施工作業を簡易化する事ができる。
【００３８】
また、非常用電源部１２と、光源部１００を別構成として記載したが、非常用電源部１２を光源部１００が備える構成であっても良い。
【００３９】
また、器具本体部１０は鉄・アルミなどの不燃性の材料で形成されており、開口を光源部１００で塞ぐ事で、点灯装置部１１、非常用電源部１２など内部に備えられた部材の防火をすることができる。
【００４０】
本実施の形態では、略円形の筒状の枠筒部１２１について説明したが、枠筒部は略円形の筒状に限らない。筒状とは円形に限らず中空形状であればよく、枠筒部は、多角形、楕円形、不定形の中空形状であれば、本実施の形態を適用することができる。
また、ＬＥＤ基板についても円形でなくてもよく、多角形、楕円形、不定形などでもよい。
また、器具本体部についても、略円形の筒形状（円柱形状）でなくてもよく、器具開口が形成され光源部を覆う形状であれば、箱型、球形、多角柱形などでもよい。
また、枠筒部は防火蓋部と一体に形成され、一方のみ開口しているようなものでもよい。
【００４１】
実施の形態２．
本実施の形態では、主に、実施の形態１と異なる点について説明する。
図５は、本実施の形態に係る照明器具１ｂの断面図である。図６は、本実施の形態に係る照明器具１ｂの光源部２００の断面図である。図７は、本実施の形態に係る光源部２００が備える放熱蓋部２１０の斜視図である。図８は、本実施の形態に係る放熱蓋部２１０の変形例である放熱蓋部２１０ｂの断面図である。
【００４２】
本実施の形態では、実施の形態１で説明した光源部１００の変形例である光源部２００に関して説明を行う。なお、実施の形態１と同様の構成については実施の形態１と同じ符号または名称を付し、詳細な説明を省略する。
【００４３】
本実施の形態の照明器具１ｂは、一面が開口した有底筒形状をした器具本体部１０と、開口を塞ぐように取り付けられる光源部２００（または光源モジュール、光源とも呼ぶ）と、通常時に光源部２００を点灯させる点灯装置部１１と、非常時の電源となる非常用電源部１２と、非常用電源部１２の充電状態を確認するための点検スイッチ部１３とを備えている。
【００４４】
光源部２００は、ＬＥＤ１１１を光源として備えた光源ユニット部１１０と、光源ユニット部１１０が挿入される枠部１２０と、枠部１２０と接合する放熱蓋部２１０（または放熱部）と、枠部１２０に配設され光源部２００を器具本体部１０に固定するための固定バネ部１４０（または固定手段）と、非常用電源部１２の充電状態を点検する点検スイッチ部１３を備えている。
【００４５】
放熱蓋部２１０は、実施の形態１で説明した防火蓋部１３０に相当する機能に加え、ＬＥＤ基板１１３の熱を効率的に放熱する機能を有する。放熱蓋部２１０は、器具本体部１０の内部に配置され、ＬＥＤ基板１１３の裏面１１２２と当接するとともに器具本体部１０の内側面と当接する。
放熱蓋部２１０は、例えば、放熱性を有する金属板などにより、略蓋形状に形成される。なお、放熱蓋部２１０は、放熱性を有していれば金属でなくても樹脂などでも構わない。
【００４６】
放熱蓋部２１０は、ＬＥＤ基板１１３の裏面１１２２と当接する平板状の放熱本体部２１１（基板当接部）と、放熱本体部２１１から連続して形成され、器具本体部１０の内側面１０２と当接する放熱側面部２１３（内側面当接部）とを備える。
放熱本体部２１１は、器具本体部１０の内径と略同一の大きさに形成される。また、放熱側面部２１３は、放熱本体部２１１の周部より略垂直に形成される。
【００４７】
放熱本体部２１１には、固定バネ部１４０を避けるためにバネ用切欠部２１４が形成されていている。また、放熱本体部２１１には、枠筒部１２１の後面側の開口に嵌入するととともに、ＬＥＤ基板１１３のＬＥＤ１１１が実装された実装面１１２１の裏面（接着面）と密着する基板取付凹部２１２が形成されている。
【００４８】
放熱側面部２１３は、放熱本体部２１１の周部より下方向（前面側の方向、照射方向）へ略垂直に形成されたものである。放熱側面部２１３は、光源部２００を器具本体部１０内部へ挿入し固定する際に器具本体部１０の内側面１０２に当接する。
【００４９】
放熱側面部２１３は、器具本体部１０の内側面１０２に当接させる事で、ＬＥＤ基板１１３の発光に伴う熱を器具本体部１０を介して外部へ放熱することができる。
【００５０】
本実施の形態では、光源部２００が器具本体部１０の内側面１０２に当接する放熱蓋部２１０を備えている事により、ＬＥＤ基板１１３の放熱性を向上することができる。
【００５１】
図８に示す放熱蓋部２１０ｂは、放熱蓋部２１０の変形例である。
放熱蓋部２１０ｂは、器具本体部１０の内径より小さく成形した放熱本体部２１１ｂと、放熱本体部２１１ｂの周縁部から下方向へ行くに従って内径が大きくなる傾斜部２１５と、傾斜部２１５の下端部から下方向に略垂直に形成された放熱側面部２１３ｂとを備える。
つまり、放熱蓋部２１０ｂは、図７に示す放熱蓋部２１０において、放熱本体部２１１と放熱側面部２１３との境界の角部を面取りしたような形状である。
このように、放熱蓋部２１０ｂは、傾斜部２１５を備えているので、光源部２００の器具本体部１０への挿入を容易にする事ができる。
【００５２】
なお、放熱蓋部２１０を弾性変形する材料などを用いて形成し、器具本体部１０の内側面を押圧しながら挿入されるようなものでも良い。
【００５３】
なお、放熱側面部２１３は放熱本体部２１１の全周部から形成されている画を記載しているが、放熱側面部２１３は器具本体部１０の内側面に当接し伝熱効果をするものであれば部分的に形成されていても構わない。
【００５４】
なお、光源ユニット部１１０のＬＥＤ基板１１３は放熱蓋部２１０に伝導性の良いテープなどを用いて貼り付け密着性を高め、放熱性能を向上させても良い。
【００５５】
以上のように、本実施の形態に係る照明器具によれば、ＬＥＤなどの発光素子から発せられる熱を効率的に器具本体部の外部に放熱する事ができる。
【００５６】
実施の形態３．
本実施の形態では、主に、実施の形態１と異なる点について説明する。
図９は、本実施の形態に係る光源部３００の断面図である。図１０は、図９に示す光源部３００のＡ部拡大詳細図である。図１１は、本実施の形態に係る配光制御部３１１の配置例（ａ）（ｂ）を示す図である。
【００５７】
本実施の形態では、実施の形態１の光源部１００の変形例である光源部３００に関して説明を行う。なお、実施の形態１と同様の構成については実施の形態１と同じ符号あるいは名称を付し、詳細な説明を省略する。
【００５８】
本実施の形態では、照明器具は、一面が開口した有底筒形状をした器具本体部１０と、開口を塞ぐように取り付けられる光源部３００（または光源）と、通常時に光源部３００を点灯させる点灯装置部１１と、非常時の電源となる非常用電源部１２、非常用電源部１２の充電状態を確認するための点検スイッチ部１３とを備えている。
【００５９】
光源部３００は、複数のＬＥＤ１１１（または発光素子）と複数のＬＥＤ１１１が実装された基板１１２とからなるＬＥＤ基板１１３（または発光基板）と、ＬＥＤ基板１１３が挿入される枠部１２０と、ＬＥＤ基板１１３が取り付けられる蓋部１３０ｃと、ＬＥＤ基板１１３の前面に位置するように枠部１２０に配設される配光カバー部３１０と、枠部１２０に配設され光源部３００を器具本体部１０に固定されるための固定バネ部１４０（または固定部、固定手段）とを備えている。
【００６０】
本実施の形態において、実施の形態１と異なる点は、光源部３００が、実施の形態１で説明したレンズ部１１４を備えておらず、カバー部１１５に代えて配光カバー部３１０を備える点である。
また、蓋部１３０ｃの形状についても、実施の形態１で説明した防火蓋部１３０と異なっている。本実施の形態の蓋部１３０ｃは、蓋鍔部１３２の外周縁部から下方（前面側方向、照射方向）に略垂直に形成された蓋側面部１３０１を備える。蓋側面部１３０１以外の蓋部１３０ｃの構成は、防火蓋部１３０と同様である。
蓋部１３０ｃの形状は、実施の形態１で説明した防火蓋部１３０と同様でもよいし、実施の形態２で説明した放熱蓋部２１０と同様でもよい。
【００６１】
配光カバー部３１０は、ガラスなどからなる不燃材の光透過部材から形成されているものであり、ＬＥＤ基板１１３を覆うような略円板形状である。配光カバー部３１０の枠部１２０への固定方法については、実施の形態１で説明したものと同様である。
【００６２】
図９、図１０に示すように、配光カバー部３１０において、ＬＥＤ基板１１３の実装面１１２１と対向する面をカバー対向面３１０１とする。配光カバー部３１０は、ＬＥＤ１１１の前面にあたるカバー対向面３１０１の一部分に配光制御部材３１２が付着される。配光制御部材３１２が付着された部分を配光制御部３１１とする。
【００６３】
図１１（ａ）（ｂ）に示すように、配光カバー部３１０は、カバー対向面３１０１のうち、実装面１１２１のうち複数のＬＥＤ１１１が配置された位置を含む配置領域１１１１に対向する対向領域３１１１に、配光制御部材３１２が付着される。
【００６４】
図１１（ａ）に示すように、配光カバー部３１０は、カバー対向面３１０１の対向領域３１１１のうち、複数のＬＥＤ１１１のそれぞれに対向する複数の個別領域３１１２に、それぞれ配光制御部材３１２が付着される。
あるいは、図１１（ｂ）に示すように、カバー対向面３１０１の対向領域３１１１内の領域全部に、配光制御部材３１２が付着されてもよい。あるいは、カバー対向面３１０１の対向領域３１１１よりもやや広い領域に、配光制御部材３１２が付着されてもよい。
【００６５】
図１０に示すように、配光カバー部３１０には、カバー対向面３１０１のうち、実装面１１２１のうち各ＬＥＤ１１１が配置された発光領域１１１２の略中心部から特定角度の範囲を個別領域３１１２として、この個別領域３１１２に配光制御部材３１２が付着される。
配光制御部材３１２が付着された配光制御部３１１は、ＬＥＤ１１１から照射される光を所定の角度へ配光する。図１０に示すように、配光制御部３１１は、ＬＥＤ１１１の直下方向（０°）より特定角度θ°の範囲に配置されている事で、光源部３００は所定の配光を得ることができる。
【００６６】
図１２は、光源部３００の目標とする配光特性の参考図（実線、点線、１点鎖線）及びミニハロゲンを用いた非常用照明器具の配光特性の参考図（２点鎖線）である。
図１２では、光度がピークのときを１００％とした場合の相対光度を示している。また、図１２では、光源部３００の目標とする配光特性を３種類（実線、点線、１点鎖線）示し、ミニハロゲンを用いた非常用照明器具の配光特性を２点鎖線で示している。
【００６７】
図１２の２点鎖線に示すように、ミニハロゲンを用いた非常用照明器具は、配光角度６０°付近に光度値がピークになるように配光している。
そこで、配光制御部３１１は、ＬＥＤ１１１の発光面から垂直方向（直下方向（０°））付近の光を拡散し、光源部３００においても、配光角度６０°付近に光度値がピークになるように配光する。配光制御部３１１は、発光面（発光領域１１１２）から垂直方向（直下方向（０°））付近の光、例えば、直下方向（０°）よりθ＝２５°の範囲の光を拡散する。発光面（発光領域１１１２）から直下方向（０°）よりθ＝２５°の範囲に配光制御部３１１を設けることで、光源部３００は図１２の実線、点線、１点鎖線に示すような所定の配光特性を得ることができる。
ここでは、目標とする配光特性として、図１２の実線、点線、１点鎖線に示す３種類の配光特性を示しているが、目標とする配光特性は、特定角度θ（約２５°）から徐々に光度が上昇し、６０°付近で相対光度が１００％となるものであればよい。
【００６８】
特定角度θは２５°近傍が好ましいが、例えば、２０°以上３０°以下の範囲内であっても良い。照明器具において所望の配光が実現されるように個別領域３１１２あるいは対向領域３１１１が設定され、配光制御部材３１２は、設定された個別領域３１１２あるいは対向領域３１１１の範囲に付着されることが好ましい。
【００６９】
配光制御部３１１の形成方法は、拡散インク（配光制御部材３１２）を略円形状に配光カバー部３１０に印刷し付着させ、配光制御部３１１を形成している。
ＬＥＤ１１１からの光は、配光カバー部３１０の配光制御部材３１２が付着されていない箇所から直接照射される直接光と、配光制御部３１１を介して拡散された配光制御光とにより、所定範囲を照射する。
【００７０】
また、配光制御部３１１を拡散インクの印刷により形成している例を説明したが、拡散インクを用いずに印刷の濃淡によりグラデーションを形成した配光制御部３１１ｄでも良い。
グラデーションを形成した配光制御部３１１ｄとは、例えば、ＬＥＤ１１１の発光面から垂直方向の印刷濃度が濃く光透過率が低く、配光が広がるにつれ印刷濃度が薄く光透過率が高くなるように、配光制御部３１１ｄの印刷濃度を調整するものである。
【００７１】
また、所定の配光角度のみ照射されるように、配光制御部材３１２として光の不透過部材を用いて配光制御部３１１ｅを形成しても良い。
例えば、ＬＥＤ１１１の発光面（発光領域１１１２）から垂直方向付近に略円形状をした配光制御部３１１ｅ（不透過部材）をアルミ蒸着などにより形成しても良い。
なお、アルミ蒸着で形成された配光制御部３１１ｅは、ＬＥＤ１１１からの光をＬＥＤ基板１１３側へ反射させるので、枠筒部１２１内部および基板１１２に反射機能を持たせることで配光制御部３１１ｅにより反射された光が所定の角度へ照射され、配光カバー部３１０より照射される光量を増やし、光の照射効率を向上させることができる。
【００７２】
なお、上述したように、配光制御部３１１を付着させる範囲は、図１１の（ａ）に示すように、各ＬＥＤ１１１の前面それぞれに応じるように配光制御部３１１を設けても良い。あるいは、図１１の（ｂ）に示すように、複数のＬＥＤ１１１を１つの配光制御部３１１で応じるようにしても良い。
【００７３】
本実施の形態では、不燃部材により形成された略円板形状の配光カバー部３１０に、配光制御部３１１（配光制御部材３１２）が付着されている事により、レンズなどを用いずにＬＥＤ１１１を所定の配光に制御する事ができる。
【００７４】
なお、付着手段として印刷および蒸着によるものを説明したが、拡散シートなどから形成される配光制御部３１１を配光カバー部３１０に貼り付けする付着手段であっても良い。
【００７５】
以上のように、本実施の形態に係る照明器具によれば、ガラスなどの透過性を有した不燃部材を材料とした配光カバー部に、配光制御部材を付着させることで、防火性を備え、コスト抑制をした非常用照明器具を提供する事ができる。
【００７６】
また、実施の形態１から実施の形態３にて、被取付部埋込型の円柱型非常用照明器具を用いて説明をおこなったが、被取付部に直付けするものでも良い。また、照明器具の形状についても、円柱形状でなくても良く、角形形状、楕円柱形状など、その他の形状の照明器具でも実施の形態１〜３を適用することができる。
【００７７】
また、実施の形態１から実施の形態３にて、器具本体部１０が非常用電源部１２を備えた非常用照明器具について説明をおこなったが、非常用電源部１２を備えていない一般照明器具であっても良い。
【００７８】
また、実施の形態１から実施の形態３にて、光源は複数のＬＥＤ１１１が実装されたＬＥＤ基板１１３の場合について説明をおこなっているが、ＣＯＢ（チップオンボード）のようなＬＥＤ光源でも良い。また有機ＥＬをＬＥＤ基板１１３の代用として用いても良い。
【００７９】
また、実施の形態１から実施の形態３にて、構成部が不燃材により形成されたと説明したが、不燃材でなくても、用途に応じた耐火に関する規格を満たす材料であれば良い。構成部を用途に応じた耐火に関する規格を満たす材料で形成することにより、耐火性を有する非常用照明器具を得ることができる。
【００８０】
以上、本発明の実施の形態について説明したが、これらの実施の形態の２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【符号の説明】
【００８１】
１  照明器具、１０  器具本体部、１１  点灯装置部、１２  非常用電源部、１３  点検スイッチ部、１４  開口部、１５  器具鍔部、１６  取付部、１７  保持部、１８  光源固定爪部、１００  光源部、１０１  外側面、１０２  内側面、１１０  光源ユニット部、１１１  ＬＥＤ、１１２  基板、１１３  ＬＥＤ基板、１１４  レンズ部、１１５  カバー部、１２０  枠部、１２１  枠筒部、１２２  枠前面部、１２３  枠鍔部、１３０  防火蓋部、１３０ｃ  蓋部、１３１  基板取付凹部、１３２  蓋鍔部、１４０  固定バネ部、１４１  コイル部、１４２  バネ腕部、１６０  ネジ、２００  光源部、２１０  放熱蓋部、２１１  放熱本体部、２１２  基板取付凹部、２１３  放熱側面部、２１４  バネ用切欠部、２１５  傾斜部、３００  光源部、３１０  配光カバー部、３１１  配光制御部、３１２  配光制御部材、１１１１  配置領域、１１１２  発光領域、１１２１  実装面、１１２２  裏面、１２１１  枠筒部前部、１２１２  枠筒部後部、１２１３  段差部、１２２１  内側鍔部、１３０１  蓋側面部、３１０１  カバー対向面、３１１１  対向領域、３１１２  個別領域。
【図１】
0006436665.tif 000002
【図２】
0006436665.tif 000003
【図３】
0006436665.tif 000004
【図４】
0006436665.tif 000005
【図５】
0006436665.tif 000006
【図６】
0006436665.tif 000007
【図７】
0006436665.tif 000008
【図８】
0006436665.tif 000009
【図９】
0006436665.tif 000010
【図１０】
0006436665.tif 000011
【図１１】
0006436665.tif 000012
【図１２】
0006436665.tif 000013